(57)【特許請求の範囲】
【請求項１】
排気バルブを作動するデコンプシャフトが動弁用のカムシャフトに対して軸心を平行にして相対回動自在に嵌挿され、
前記デコンプシャフトにメインウエイトが基端を固着されて揺動自在に設けられ、
前記カムシャフトにサブウエイトが揺動自在に軸支され、
前記メインウエイトと前記サブウエイトがリンク部材を介して連結され、
前記リンク部材は、棒状をなし、カムシャフトの停止時に前記デコンプシャフトの軸心に配置されないで、両端が前記メインウエイトと前記サブウエイトにそれぞれ軸支され、
軸方向視で前記デコンプシャフトの軸心からリンク部材までの距離は、カムシャフトの停止時および極低回転時に小さく、カムシャフトの回転が増すと前記メインウエイトと前記サブウエイトの揺動により大きくなることを特徴とする内燃機関のデコンプ装置。
【請求項２】
前記デコンプシャフトが、前記カムシャフトに対して軸心を偏心させていることを特徴とする請求項１記載の内燃機関のデコンプ装置。
【請求項３】
前記カムシャフトに対して軸心を平行かつ偏心して相対回動自在に嵌挿されたサブシャフトに、前記サブウエイトが基端を固着されて揺動自在に設けられたことを特徴とする請求項１または請求項２記載の内燃機関のデコンプ装置。
【請求項４】
前記デコンプシャフトの軸心と前記サブシャフトの軸心は、前記カムシャフトの軸心を中心に約９０度角位相がずれた位置にあることを特徴とする請求項３記載の内燃機関のデコンプ装置。
【発明の詳細な説明】
【技術分野】
【０００１】
本発明は、内燃機関のデコンプ装置に関する。
【背景技術】
【０００２】
４ストロークサイクルの単気筒内燃機関等は、圧縮抵抗が大きいため、キックスタートまたはスタータモータの駆動による始動時に、大きな抵抗を受けてクランクシャフトの回転に勢いをつけ難い場合があり、そのために、始動時に燃焼室内の圧縮を抜く所謂デコンプ装置が設けられている例がある（例えば、特許文献１参照）。
【０００３】
【特許文献１】特開２００３−２５４０２５号公報
【０００４】
同特許文献１では、カムシャフトにおいて軸方向に指向したシャフト溝がカム山の反対側に形成され、同シャフト溝に回動自在に嵌挿されたシャフト部におけるカムスプロケットの開口を貫通した端部に、マスウエイトが基端を固着されて揺動自在に設けられている。
なお、マスウエイトは遠心方向に抗する方向にスプリングにより付勢されている。
【０００５】
始動開始時には、マスウエイトが揺動せずシャフト部が回動しない状態でシャフト部のデコンプカム部が、カムロブのカム山と反対側にベース円より外方に突出していてロッカアームに作用し排気バルブを僅かに開くデコンプ作動状態であり、燃焼室内の圧縮を抜いて内燃機関の始動を容易にしている。
【０００６】
始動回転数が増して、カムシャフトがある回転数を超えると、内燃機関は始動し、マスウエイトが遠心方向に揺動してシャフト部を回動しデコンプカム部がベース円より内方に没してロッカアームに作用しないようになり、排気バルブを完全に閉じることができるデコンプ解除状態となり、内燃機関が通常の運転状態となる。
【発明の開示】
【発明が解決しようとする課題】
【０００７】
機関回転数におけるデコンプが解除する回転数は、始動回転数より高く、アイドル回転数より低い所要の狭い回転数域に設定されることが、円滑な始動を行う上で必要であるが、ウエイトの重量が軽いとウエイトの揺動が不安定となり、デコンプの解除回転数が大きく変動してしまう。
【０００８】
そこで、マスウエイトはある程度重くしており、その分スプリングも大きなばね力のものを用いている。
したがって、デコンプ装置が大型化していた。
【０００９】
本発明は、かかる点に鑑みなされたもので、その目的とする処は、デコンプの解除を適切なタイミングで実行して円滑な始動を図ることができる内燃機関のデコンプ装置を供する点にある。
【課題を解決するための手段】
【００１０】
上記目的を達成するために、請求項１記載の発明は、排気バルブを作動するデコンプシャフトが動弁用のカムシャフトに対して軸心を平行にして相対回動自在に嵌挿され、前記デコンプシャフトにメインウエイトが基端を固着されて揺動自在に設けられ、前記カムシャフトにサブウエイトが揺動自在に軸支され、前記メインウエイトと前記サブウエイトがリンク部材を介して連結され、前記リンク部材は、棒状をなし、カムシャフトの停止時に前記デコンプシャフトの軸心に配置されないで、両端が前記メインウエイトと前記サブウエイトにそれぞれ軸支され、軸方向視で前記デコンプシャフトの軸心からリンク部材までの距離は、カムシャフトの停止時および極低回転時に小さく、カムシャフトの回転が増すと前記メインウエイトと前記サブウエイトの揺動により大きくなる内燃機関のデコンプ装置とした。
【００１２】
請求項２記載の発明は、請求項１記載の内燃機関のデコンプ装置において、前記デコンプシャフトが、前記カムシャフトに対して軸心を偏心させていることを特徴とする。
【００１３】
請求項３記載の発明は、請求項１または請求項２記載の内燃機関のデコンプ装置において、前記カムシャフトに対して軸心を平行かつ偏心して相対回動自在に嵌挿されたサブシャフトに、前記サブウエイトが基端を固着されて揺動自在に設けられたことを特徴とする。
【００１４】
請求項４記載の発明は、請求項３記載の内燃機関のデコンプ装置において、前記デコンプシャフトの軸心と前記サブシャフトの軸心は、前記カムシャフトの軸心を中心に約９０度角位相がずれた位置にあることを特徴とする。
【発明の効果】
【００１５】
請求項１記載の内燃機関のデコンプ装置によれば、デコンプを作用させるデコンプシャフトを回動させる遠心ウエイトをメインウエイトとサブウエイトに分割して、両者をリンク部材で連結したので、ウエイトの揺動が安定するに必要なウエイト合計重量は確保しつつ、各ウエイトを小さくコンパクトにまとめてデコンプ装置を小型化することができるとともに、ウエイトの揺動が安定することによりデコンプの解除を適切なタイミングで実行して円滑な始動を図ることができる。
【００１６】
リンク部材が、カムシャフトの停止時および極低回転時に軸方向視でデコンプシャフトの軸心に接近した近接位置にあるので、サブウエイトの回転モーメントがリンク部材を介してメインウエイトに影響し難い状態にあり、そのためデコンプシャフトが回動し始めるデコンプ解除回転数を高くすることができる。
【００１７】
そして、一旦デコンプシャフトが回動すると、リンク部材がデコンプシャフトから離れ、サブウエイトの回転モーメントがリンク部材を介してメインウエイトに影響する割合が大きくなり、両ウエイトの合計モーメントが大きな値となるため、機関回転数が下降して極低速の状態になってもデコンプシャフトが逆回転し始めるデコンプ作動回転数を低くすることができる。
【００１８】
したがって、始動時には、デコンプ作動状態を長く維持してスタータモータの容量を小さくでき、またはキックスタートのキック荷重を低減することができる。
停止時には、デコンプ作動回転数をエンジンストール回転数の近傍まで低くすることができるため、アイドル回転数を低く調整したとしてもアイドル回転時にデコンプが作動することを回避することができる。
【００１９】
請求項２記載の内燃機関のデコンプ装置によれば、デコンプシャフトが、カムシャフトに対して軸心を偏心させているので、設計の自由度が増し、ウエイトを小さくコンパクトにまとめ易い。
【００２０】
請求項３記載の内燃機関のデコンプ装置によれば、カムシャフトに対して軸心を平行かつ偏心して相対回動自在に嵌挿されたサブシャフトに、サブウエイトが基端を固着されて揺動自在に設けられので、メインウエイトとともにサブウエイトの設計の自由度が増し、両ウエイトを小さくコンパクトにまとめ易くデコンプ装置の小型化を図ることができる。
【発明を実施するための最良の形態】
【００２２】
以下、本発明に係る一実施の形態について図１ないし図８に基づいて説明する。
図１は、本発明を適用した一実施の形態に係るスクータ型自動２輪車１の側面図である。
車体前部２と車体後部３とが、低いフロア部４を介して連結されており、車体の骨格をなす車体フレームは、概ねダウンチューブ６とメインパイプ７とからなる。
【００２３】
すなわち車体前部２のヘッドパイプ５からダウンチューブ６が下方へ延出し、同ダウンチューブ６は下端で水平に屈曲してフロア部４の下方を後方へ延び、その後端において左右一対のメインパイプ７が連結され、メインパイプ７は該連結部から斜め後方に立ち上がって所定高さで水平に屈曲して後方に延びている。
【００２４】
同メインパイプ７により燃料タンクや収納ボックスが支持され、その上方にシート８が配置されている。
一方車体前部２においては、ヘッドパイプ５に軸支されて上方にハンドル11が設けられ、下方にフロントフォーク12が延びてその下端に前輪13が軸支されている。
【００２５】
メインパイプ７の立ち上がり部下端にはブラケット15が突設され、同ブラケット15にリンク部材16を介してスイングユニット17が揺動自在に連結支持されている。
【００２６】
スイングユニット17には、その前部に単気筒の４ストロークサイクル内燃機関30が、シリンダブロック32を略水平に近い状態にまで大きく前傾した姿勢で搭載され、そのユニットスイングケース31のクランクケースに相当する部分の下端から前方に突出したハンガーブラケット18の端部が前記リンク部材16にピボット軸19を介して連結されている。
【００２７】
該内燃機関30から後方にかけて本ベルト式無段変速機35が構成され、その後部に設けられた減速機構38に後輪21が軸支されている。
この減速機構38の上端と前記メインパイプ７の上部屈曲部間にリヤクッション22が介装されている。
【００２８】
スイングユニット17の上部には、内燃機関30のシリンダヘッド33の上部から延出した吸気管23に接続された気化器24および同気化器24に連結されるエアクリーナ25が配設されている。
【００２９】
他方ユニットスイングケース31の下部に突設されたハンガーブラケット18には、メインスタンド26が枢着されており、ベルト式無段変速機35の伝動ケースカバー36から突出したキック軸27にキックアーム28の基端が固着され、同キックアーム28の先端にキックペダル29が設けられている。
【００３０】
車体前部２は、フロントカバー９ａとリヤカバー９ｂにより前後からフロントロアカバー９ｃにより左右側方から覆われ、ハンドル11の中央部はハンドルカバー９ｄによって覆われる。
フロア部４はサイドカバー９ｅにより覆われ、また車体後部３は左右側方からボデイカバー10ａおよびテールサイドカバー10ｂによって覆われる。
【００３１】
図２は、スイングユニット17を図１の概ねII−II線に沿って截断し展開した断面図である。
ユニットスイングケース31は、左右割りの左ユニットケース31Ｌと右ユニットケース31Ｒとを合体して構成されるもので、右ユニットケース31Ｒは、クランクケース部の半体をなし、左ユニットケース31Ｌは、前後に長尺で前部のクランクケース部31ａ，中央の伝動ケース部31ｂ，後部の減速機ケース部31ｃからなる。
【００３２】
この左ユニットケース31Ｌの左側開放面は、伝道ケースの一部である伝動ケースカバー36により覆われ、内部にベルト式無段変速機35が収納され、後方の減速機ケース部31ｃの右側開放面は減速機ケース37により覆われ、内部に減速機構38が収納される。
【００３３】
クランクケース部31ａと右ユニットケース31Ｒの所謂クランクケース内には、クランクシャフト40が左右の主軸受41，41に回転自在に支持されて、左右水平方向に延びた延出部のうち右延出部にはＡＣジェネレータ60が設けられ、左延出部にはカムチェーン駆動スプロケット55とベルト式無段変速機35のベルト駆動プーリ76が設けられる。
【００３４】
内燃機関30は、シリンダブロック32のシリンダライナ44内を往復動するピストン42とクランクシャフト40のクランクピン40ａとをコネクティングロッド43が連結している。
本４サイクル内燃機関30は、ＳＯＨＣ型式のバルブシステムを採用しており、シリンダヘッドカバー34内には動弁機構50が設けられ、同動弁機構50に駆動伝達を行うカムチェーン51がカムシャフト53とクランクシャフト40との間に架設されており、そのためのカムチェーン室52が、クランクケース部31ａ，シリンダブロック32，シリンダヘッド33に連通して設けられている。
【００３５】
すなわち左右水平方向に指向したカムシャフト53の左端に嵌着された被動スプロケット54と、クランクシャフト40に嵌着された前記駆動スプロケット55との間にカムチェーン51がカムチェーン室52内を通って架渡されている。
シリンダヘッド33においてカムチェーン室52と反対側（右側）から燃焼室に向かって点火プラグ45が嵌入されている。
【００３６】
図３に示すようにシリンダヘッドカバー34内の動弁機構50は、シリンダが水平に近い状態にまで大きく前傾しているので、カムシャフト53の上下に吸気バルブ56と排気バルブ57が配設されており、上下のロッカシャフト58ｉ，58ｅにはそれぞれロッカアーム59ｉ，59ｅが揺動自在に枢着され、カムシャフト53のカムの回転によりロッカアーム59ｉ，59ｅは揺動して所定のタイミングで吸気バルブ56と排気バルブ57の開閉動作を行わせる。
【００３７】
右ユニットケース31Ｒの右側面に設けられるＡＣジェネレータ60は、右ユニットケース31Ｒの中央円筒部31ｄより突出するクランクシャフト30の端部にＡＣＧボス61を介して碗状のアウタロータ62が固着され、その内周面に周方向に亘って配設される磁石63の内側にステータコイル65の巻回されたステータ64が中央円筒部31ｄに固定されている。  アウタロータ62の右側面には強制空冷ファン66が取り付けられ、その側方をファンカバ
ー67が覆っている。
【００３８】
一方ユニットスイングケース31のクランクケース部31ａには、前記カムチェーン室52が主軸受41によりクランク室と仕切って形成されており、同カムチェーン室52の左側壁は、さらに左方のベルト式無段変速機室70とカムチェーン室52とを仕切る仕切り壁71であり、同仕切り壁71にクランクシャフト40が貫通する大径の偏平円筒状をなす円形貫通孔71ａが形成され、同貫通孔71ａに円環状シール部材72が圧入され、同円環状シール部材72の中空部をクランクシャフト40が貫通している。
【００３９】
このシール部材72と主軸受41との間のクランクシャフト40に前記駆動スプロケット55が嵌着されており、同駆動スプロケット55に前記カムチェーン51が巻き掛けられる。
このシール部材72によりベルト式無段変速機室70がカムチェーン室52から水密に仕切られ、オイルがベルト式無段変速機室70に漏れるのを防止している。
シール部材72を貫通して延出したクランクシャフト40にはベルト駆動プーリ76がともに回転可能に設けられている。
【００４０】
ベルト駆動プーリ76は、固定側プーリ半体77と可動側プーリ半体78とからなり、固定側プーリ半体77は、クランクシャフト40の左端部にボス79を介して固着され、その右側に可動側プーリ半体78がクランクシャフト40にスプライン嵌合され、同可動側プーリ半体78はクランクシャフト40とともに回転し、かつ軸方向に摺動して固定側プーリ半体77に接近・離反することができ、両プーリ半体77，78間にＶベルト75が挟まれて巻き掛けられる。
【００４１】
図４を参照して、可動側プーリ半体78の右側で前記円環状シール部材72に近接した固定位置にカムプレート80が設けられており、その外周端に設けたスライドピース80ａが可動側プーリ半体78の外周端に軸方向に形成したカムプレート摺動ボス部78ａに摺動自在に係合している。
【００４２】
可動側プーリ半体78のカムプレート80側側面は、カムプレート80側に向けてテーパしており、同テーパ面内側にカムプレート80に挟まれてドライウェイトローラ81が収容されている。
【００４３】
したがってクランクシャフト40の回転速度が増加すると、可動側プーリ半体78とカムプレート80間にあってともに回転するドライウェイトローラ81が、遠心力により遠心方向に移動し、可動側プーリ半体78は同ドライウェイトローラ81に押圧されて左方に移動して固定側プーリ半体77に接近し、両プーリ半体77，78間に挟まれたＶベルト75を遠心方向に移動させ巻き掛け径を大きくするように構成されている。
【００４４】
かかるベルト駆動プーリ76に対応する後方のベルト被動プーリ86は、減速機構38の減速機入力軸92に対し相対回転自在に支持されるインナスリーブ89に固定側プーリ半体87が嵌着され、同固定側プーリ半体87の左側でインナスリーブ89に軸方向の摺動自在に支持されたアウタスリーブ90に可動側プーリ半体88が嵌着されて、かかる両プーリ半体87，88から構成されている。
両プーリ半体87，88に前記Ｖベルト75が挟持される。
【００４５】
減速機入力軸92とインナスリーブ89の左側部に遠心クラッチ91が設けられており、Ｖベルト75を介してインナスリーブ89に伝達された動力は、その回転速度が増すと遠心クラッチ91が接合して減速機入力軸92に伝達される。
【００４６】
減速機構38は、減速機入力軸92に伝達された動力を中間軸93を介して出力軸94に歯車の噛合により減速して伝えるものであり、出力軸94が後輪21の車軸で後輪21を回転させる後車軸である。
後輪21のハブ部にはドラムブレーキ95が設けられている。
【００４７】
ベルト式無段変速機室70を左側から覆う伝動ケースカバー36は、前方のベルト駆動プーリ76から後方の遠心クラッチ91までを覆っており、中央より若干前寄りに前記キック軸27が回動自在に貫通支持されており、同キック軸27の内側端部には駆動ヘリカルギヤ100 が嵌着され、リターンスプリング101 により付勢されている。
【００４８】
そして伝動ケースカバー36の前部内面には、図４を参照して、クランクシャフト40と同軸に摺動軸102が回転かつ軸方向の摺動可能に支持されており、同摺動軸102 には被動ヘリカルギヤ103 が形成されて前記駆動ヘリカルギヤ100 と噛合しているとともに、右端にはラチェットホイール104 が固着され、全体がフリクションスプリング105 により左方に付勢されている。
一方クランクシャフト40側のボス79には、ラチェットホイール105 に対向してラチェット79ａが形成されており、両者は摺動軸102 の摺動で接離可能である。
【００４９】
したがってキックペダル29が踏み込まれ、キックアーム28を介してキック軸27がリターンスプリング101 に抗して回転すると、キック軸27と一体に駆動ヘリカルギヤ100 が回転して、これと噛合する被動ヘリカルギヤ103 が摺動軸102 と一体に回転しながらフリクションスプリング105 に抗して右方に摺動して、ラチェットホイール105 がボス79のラチェット79ａと噛み合ってクランクシャフト40を強制的に回転させ内燃機関30を始動することができる。
【００５０】
一方本内燃機関は、左ユニットケース31Ｌのクランクケース部31ａの上方にスタータモータ110 が配設されており、図４に示すようにスタータモータ110 は、アウタステータの磁石111 に周りを囲まれたインナロータのコイル112 の巻回されたピニオン113 が左方に突出しており、ピニオン113 の端部にギヤ113aが形成されている。
【００５１】
そしてクランクケース部31ａと伝動ケースカバー36とに挟持されて飛び込みギヤ機構115 が、軸を左右水平方向に指向させて、スタータモータ110 とベルト駆動プーリ76との間に設けられており、同飛び込みギヤ機構115 の右側の入力ギヤ116 にスタータモータ110 のピニオンギヤ113aが噛合し、一方の左側の飛び込みギヤ117 は、左方に飛び出すと固定側プーリ半体77の外周縁に形成されたスタータリングギヤ77ａに噛み合う。
【００５２】
したがってスタータモータ110 が駆動すると、ピニオン113 の回転が飛び込みギヤ機構115 の入力ギヤ116 に伝達され、飛び込みギヤ117 が左方に飛び出し固定側プーリ半体77のスタータリングギヤ77ａに噛み込み、固定側プーリ半体77をクランクシャフト40とともに回転させて内燃機関30の始動を行うことができる。
なおスタータモータ110 が停止すれば飛び込みギヤ117 は引っ込みスタータリングギヤ77ａとの噛合が解かれる。
【００５３】
飛び込みギヤ117 の噛み込みを受けるスタータリングギヤ77ａの形成された固定側プーリ半体77は、そのＶベルト75を挟持する側面と反対側側面（左側面）にゴム製の冷却ファン118 がゴム焼き付けにより添着されており、冷却ファン118の回転によりベルト式無段変速機35が冷却される。
【００５４】
そして、本ベルト式無段変速機室70を構成する伝動ケースカバー36は、前後方向の略中央でベルト駆動プーリ76とベルト被動プーリ86の間で若干ベルト被動プーリ86寄りに側壁内面に沿って矩形筒状の排風通路121が、略上下方向で若干斜めに傾斜して膨出形成されている。
【００５５】
該排風通路121は、その上端開口121ｔが伝道ケースに覆われたベルト式無段変速機室70内に開放され下端開口が外部に開放されており、前記冷却ファン118の回転により生じた冷却風がベルト式無段変速機35を冷却し熱を奪った後に該排風通路121により外部に排出される。
【００５６】
前記したシリンダヘッドカバー34内の本動弁機構50には、デコンプ装置130が組み込まれており、その構造を図５ないし図８に示し説明する。
左右水平方向に指向するカムシャフト53は、左右端部が軸受131，132により軸支されており、同カムシャフト53に対してデコンプシャフト133が軸心を平行かつ偏心して相対回動自在に左端面から嵌挿されている。
【００５７】
デコンプシャフト133の左端にはメインウエイト134の基端部134ａが嵌着されている。
メインウエイト134は、基端部134ａから延びるアーム部134ｂが左方に膨出して肉厚に形成され、同膨出部から遠心方向に先端ウエイト部134ｃが周方向の特にカムシャフト53とともに回転する回転後方に展開して形成されている。
【００５８】
このメインウエイト134の基端部134ａからアーム部134ｂの部分が揺動する領域を、被動スプロケット54に穿設された扇形開口54ａが確保していると同時に、同扇形開口54ａがメインウエイト134の揺動範囲を決定している。
【００５９】
また、カムシャフト53には、前記デコンプシャフト133と同様にサブシャフト135が軸心を平行かつ偏心して相対回動自在に左端面から嵌挿されており、同サブシャフト135はデコンプシャフト133から約９０度角位相がずれた位置に設けられている。
【００６０】
このサブシャフト135の被動スプロケット54を貫通した左端に基端部を嵌着されてサブウエイト136が揺動自在に設けられている。
サブシャフト135は基端部から真っ直ぐ延びている。
【００６１】
カムシャフト53とともに回転する前記メインウエイト134の回転方向前方に突起134ｄが先端近くに突出しており、他方前記サブウエイト136の回転方向後方に突起136ｄが中間部に突出しており、突起134ｄと突起136ｄに両端を軸支されたリンク部材である連結棒137がメインウエイト134とサブウエイト136とを連結している。
【００６２】
メインウエイト134には、トーションスプリング138が備えられていて、同トーションスプリング138は、カムシャフト53に対するメインウエイト134の揺動に関して遠心力に抗する方向にメインウエイト134を付勢している。
【００６３】
円柱状のデコンプシャフト133は、図５に示すように、右端近傍に切欠きにより概ね半月状の断面形状のデコンプカム部133ａが形成されており、カムシャフト53のデコンプカム部133ａ近傍は欠損していてデコンプカム部133ａが露出している。
特にカムシャフト53のデコンプカム部133ａが旋回する領域は全周に亘って欠損している。
【００６４】
これに対して排気側のロッカアーム59ｅは、カム側端部にカムシャフト53の排気側カム部53ｅに接するローラ59erを回転自在に軸支するとともに、デコンプシャフト133のデコンプカム部133ａに向かってデコンプ用突起59edが突出している。
【００６５】
デコンプ用突起59edは、デコンプシャフト133が回動して半月状のデコンプカム部133ａの切欠きの反対側の円弧面に対向したときは同デコンプカム部133ａに接して排気側ロッカアーム59ｅを揺動し圧縮行程で排気バルブ57を僅かに開いてデコンプを作動させ、他方デコンプ用突起59edがデコンプカム部133ａの切欠きに対向したときはデコンプカム部133ａに接することなくデコンプを解除する。
【００６６】
なお、サブシャフト135はデコンプ用突起59edに常に干渉しないように溝135ａが形成されている。
【００６７】
図６は、クランクシャフト40とともにカムシャフト53が停止または極低回転時の状態を示しており、メインウエイト134はトーションスプリング138に付勢されて時計回りに揺動し扇形開口54ａの端縁に当接して停止した限界位置にあり、サブウエイト136もメインウエイト134に連結棒137により連結されて時計回りに揺動した限界位置にある。
【００６８】
メインウエイト134の揺動中心軸であるデコンプシャフト133は、そのデコンプカム部133ａが切欠きの反対側の円弧面を排気側ロッカアーム59ｅのデコンプ用突起59edに向けて接して排気側ロッカアーム59ｅを揺動するデコンプ作動状態を示している。
【００６９】
すなわち、内燃機関30が停止または極低回転時には、デコンプ作動状態にある。
なお、排気側ロッカアーム59ｅのローラ59erは、カムシャフト53の排気側カム部53ｅのベース円から離れている。
【００７０】
この状態で、図６を参照して、連結棒137は、メインウエイト134の揺動中心であるデコンプシャフト133の軸心Ｃｍに軸方向視（図６に示すように側面から右方向に視て）で最も接近した近接位置にある。
デコンプシャフト133の軸心Ｃｍから連結棒137までの距離をｄとする。
【００７１】
サブウエイト136に加わる遠心力Ｐｓ（図６においてサブウエイト136の重心Ｇｓから矢印で示す）を、サブウエイト136が連結棒137を引く力Ｐｃ（図６において連結棒137の指向する方向の矢印で示す）とこれと直角の方向の力に分解すると、この引く力Ｐｃに距離ｄを乗算したモーメントＰｃ・ｄがメインウエイト134に作用する。
【００７２】
図６に示すデコンプ作動状態では、極低回転ということで遠心力Ｐｓも小さく、よって連結棒137を引く力Ｐｃも小さいとともに、距離ｄが最も小さいために、モーメントＰｃ・ｄは小さく、サブウエイト136がメインウエイト134の揺動に影響し難い状態にあって、略メインウエイト134の遠心力だけではメインウエイト134はトーションスプリング138に抗してまで容易に揺動しない。
【００７３】
回転数が上昇して遠心力Ｐｓが大きくなっても、距離ｄが最も小さいため、始動回転数を超えてある程度高い回転数になるまでは、メインウエイト134は揺動せず、その間デコンプ作動状態にある。
したがって、スタータモータ110を駆動したり、あるいはキックペダル29を踏み込んで、内燃機関30を始動させる場合、当初デコンプが作動して燃焼室内の圧縮を抜きクランクシャフト40の回転に勢いをつけ易くし、始動回転数を超えたところで内燃機関30を円滑に始動することができる。
【００７４】
内燃機関30が始動してアイドル回転数に至るまでの間で相当程度高い回転数になって初めてメインウエイト134が揺動を始めることになり、一旦揺動し始めると、図７に示すようにデコンプシャフト133の軸心Ｃｍから連結棒137までの距離ｄが大きくなるので、モーメントＰｃ・ｄは益々大きくなってサブウエイト136がメインウエイト134の揺動に大きく影響することになり、一気にメインウエイト134が揺動してデコンプシャフト133を回動する。
【００７５】
そして、図８に示すように、メインウエイト134の揺動が被動スプロケット54に穿設された扇形開口54ａにより規制された揺動範囲の限界まで達すると、デコンプシャフト133の半月状のデコンプカム部133ａの切欠きが排気側ロッカアーム59ｅのデコンプ用突起59edに向いてデコンプ用突起59edが接することがなく、排気側ロッカアーム59ｅがそのローラ59erをカムシャフト53のカム部53ｅのベース円に接してデコンプは解除され、内燃機関30は通常の運転状態となる。
【００７６】
このように、停止時または極低回転時にデコンプシャフト133の軸心Ｃｍから連結棒137までの距離ｄが小さいので、サブウエイト136の回転モーメントがリンク部材を介してメインウエイト134に影響し難い状態にあり、そのためデコンプシャフト133が回動し始めるデコンプ解除回転数をできるだけ高くしデコンプ作動状態を長く維持して内燃機関30の始動を円滑かつ確実に行うようにすることができる。
【００７７】
図８に示すデコンプ解除状態においては、メインウエイト134およびサブウエイト136は、いずれもカムシャフト53の回転中心から偏心したデコンプシャフト133およびサブシャフト135を中心にそれぞれ遠心方向に揺動しているが、いずれも被動スプロケット54の外周円内に収まるよう設計されており、揺動が不安定にならないウエイト合計重量は確保しつつメインウエイト134とサブウエイト136をコンパクトに構成してデコンプ装置130を小型化することができる。
【００７８】
このデコンプ解除状態で、デコンプシャフト133の軸心Ｃｍから連結棒137までの距離ｄは最も大きく、サブウエイト136の回転モーメントがリンク部材を介してメインウエイト134に大きく影響しているため、内燃機関30の運転を停止する場合に、メインウエイト134が逆方向（回転中心方向）に揺動してデコンプシャフト133が逆回転し始めるデコンプ作動回転数を低くすることができ、よってエンジンストール回転数の近傍まで低くすることができる。
【００７９】
以上のように、本デコンプ装置130は、始動時には、デコンプ作動状態を長く維持してスタータモータの容量を小さくでき、またはキックスタートのキック荷重を低減することができる。
【００８０】
停止時には、デコンプ作動回転数をエンジンストール回転数の近傍まで低くすることができるため、アイドル回転数を低く調整したとしてもアイドル回転時にデコンプが作動することを回避することができる。
【００８１】
次に、デコンプ装置の別の例について図９ないし図１１に図示し説明する。
動弁機構は、カムシャフト160、被動スプロケット161以外は前記実施の形態と同じであり、同じ部材は同じ符号を用いる。
【００８２】
本デコンプ装置150のデコンプシャフト151は、カムシャフト160に対して軸心を同軸にして相対回転自在に左端面から嵌挿されている（図９参照）。
【００８３】
図１０に示すように、被動スプロケット161は、デコンプシャフト151の臨む中央部を円形に開口してカムシャフト160に嵌着されており、被動スプロケット161の左側面には偏心した位置に支軸162が突設され、同支軸162に基端部152ａを軸支されてデコンプウエイト152が被動スプロケット161に沿って揺動自在に設けられている。
【００８４】
デコンプウエイト152は、支軸162に軸支された基端部152ａから中空円板状の被動スプロケット161の環状に倣ってカムシャフト160の回転方向の後方に環状に大きく展開した環状ウエイト部152ｂが形成されるとともに、基端部152ａからカムシャフト160の中心方向に向けて延出部152ｃが延びている。
【００８５】
環状ウエイト部152ｂは、外周縁が被動スプロケット161と略同径の円弧をなし、その内側中央に支軸162を中心にした円弧状の円弧孔153が穿設されており、被動スプロケット161の左側面所定位置から突出したストッパピン163が該円弧孔153を貫通している。
したがって、デコンプウエイト152は、円弧孔153がストッパピン163で規制される範囲内で支軸162を中心に環状ウエイト部152ｂを揺動することができる。
【００８６】
そして、支軸162に巻回されたトーションスプリング164が被動スプロケット161とデコンプウエイト152との間に介装されて、デコンプウエイト152の環状ウエイト部152ｂを被動スプロケット161の回転中心に向けて付勢している。
【００８７】
デコンプウエイト152のカムシャフト160の中心方向に向けて延びた延出部152ｃには小さい長孔154が穿設されており、同長孔154にデコンプシャフト151の左端面の外周近傍に突設された係合ピン165が貫通係合している。
【００８８】
したがって、カムシャフト160が停止しているときは、図１０に実線で示すように、デコンプウエイト152は、トーションスプリング164により環状ウエイト部152ｂを被動スプロケット161の回転中心に近づけており、環状ウエイト部152ｂは一部を除き概ね被動スプロケット161内に収まっている。
【００８９】
カムシャフト160の回転数が上昇すると、デコンプウエイト152は、トーションスプリング164に抗して環状ウエイト部152ｂを遠心方向に揺動し、一体に揺動する延出部152ｃが長孔154に係合する係合ピン165を介してデコンプシャフト151をカムシャフト160に対して相対的に回動させる。
【００９０】
カムシャフト160がある回転数以上になると、デコンプウエイト152は、円弧孔153がストッパピン163で規制されて、環状ウエイト部152ｂを最大限遠心方向に揺動しており、図１０に２点鎖線で示すように、環状ウエイト部152ｂの外周端縁部分は被動スプロケット161の外周円よりはみ出している。
【００９１】
ただし、環状ウエイト部152ｂの外周端は被動スプロケット161の外周円と同軸の円弧をなし、一部が大きくはみ出しているのではなく、環状ウエイト部152ｂの外周縁部分が被動スプロケット161の外周円より一様にはみ出すように構成されてデコンプウエイト152が必要な重量を確保しつつコンパクトに組み付けられている。
【００９２】
このデコンプシャフト151が回動自在に嵌挿されるカムシャフト160の嵌挿孔160ａは、カムシャフト160の左端面から排気側カム部53ｅ辺りまで穿孔されており、その嵌挿孔160ａの底面より若干手前のデコンプ用突起59edの軸方向位置においてカムシャフト160を嵌挿孔160に直交して径方向に貫通する貫通孔160ｂを有し、同貫通孔160ｂにデコンプピン155が摺動自在に嵌挿されている。
【００９３】
デコンプピン155は、丸棒状で側部に側面視でコ字状に欠損した切欠き155ａが形成されている（図９参照）。
デコンプシャフト151の右端面は、デコンプピン155に近接しており、同右端面には回動中心より偏心した位置に円柱突起151ａが突出しており、同円柱突起151ａがデコンプピン155の切欠き155ａに相対移動自在に嵌合している。
【００９４】
前記したようにカムシャフト160の回転によるデコンプウエイト152の揺動は、デコンプシャフト151をカムシャフト160に対して相対的に回動させる。
図９および図１１（１）に示す状態は、停止時または極低回転時のもので、デコンプシャフト151の偏心した円柱突起151ａがデコンプ用突起59edに最も近づいた状態を示している。
【００９５】
この状態で、デコンプピン155は、その一方の先端がカムシャフト160の外周面から若干突出し、他端はカムシャフト160の外周面より内側に没している。
したがって、デコンプピン155の先端はデコンプ用突起59edに接して排気側ロッカアーム59ｅを揺動し、圧縮行程で排気バルブを僅かに開いてデコンプを作動させる。
【００９６】
機関回転数が上昇すると、カムシャフト160の回転でデコンプウエイト152が揺動し、デコンプシャフト151がカムシャフト160に対して相対的に回動し、デコンプシャフト151の偏心した円柱突起151ａが旋回する。
そして始動回転数より高くなると、円柱突起151ａは図１１（２）に示すような位置に旋回する。
【００９７】
円柱突起151ａの旋回に従ってデコンプピン155が貫通孔に案内されて移動し、カムシャフト160の外周面から若干突出していた先端が図１１（２）に示すように貫通孔160ｂ内に没して排気側ロッカアーム59ｅのデコンプ用突起59edに接することなく、カムシャフト53のカム部53ｅのベース円が排気側ロッカアーム59ｅのローラ59erに接してデコンプは解除され、内燃機関は通常の運転状態となる。
【００９８】
内燃機関の運転を停止する場合は、デコンプウエイト152が逆方向（回転中心方向）に揺動してデコンプシャフト151が逆回転し円柱突起151ａが旋回し、所定機関回転数を下回ると、デコンプピン155をカムシャフト160の外周面から突出させて排気側ロッカアーム59ｅを作動してデコンプ作動状態となる。
【００９９】
次に、また別のデコンプ装置180について図１２および図１３に基づき説明する。
本デコンプ装置180は、前記デコンプ装置150とデコンプシャフト181の回動によるデコンプピン185の移動構造のみが異なり、その他の構造は同じであって同じ部材は同じ符号を用いて示す。
【０１００】
カムシャフト190のデコンプシャフト181が嵌挿される軸中心の嵌挿孔190ａの奥側に小径孔190ａがあり、その小径孔190ａに直交して貫通孔190ｂが形成されている。
その貫通孔190ｃは、一方の外方への開口が縮径しており、同貫通孔190ｃに本体部185ａと小径部185ｂとからなるデコンプピン185が摺動自在に嵌挿される。
本体部185ａには側面視でコ字状に欠損した切欠き185ｃが形成されている（図９参照）。
【０１０１】
デコンプピン185を貫通孔190ｂに嵌挿する場合に、デコンプピン185の小径部185ｂが挿入される貫通孔190ｂに内側からコイルスプリング186を挿入しておき、貫通孔190ｂの縮径部とデコンプピン185の本体部186ａとの間にコイルスプリング186を介装し、デコンプピン185を付勢するようにする。
【０１０２】
デコンプシャフト181の右端面より回転中心軸に同軸に突出した突起181ａが小径孔190ａに挿入されてデコンプピン185の切欠き185ａに嵌挿されており、コイルスプリング186により付勢されて摺動しようとするデコンプピン185を受け止めている。
デコンプシャフト181の右端の突起181ａは、図１３に示すように円柱体の側部を一部軸方向全体に亘って切欠いた欠損部181ｂを有する。
【０１０３】
前記したようにカムシャフト190の回転によるデコンプウエイト152の揺動は、デコンプシャフト181をカムシャフト190に対して相対的に回動させる。
図１２および図１３（１）に示す状態は、停止時または極低回転時のもので、デコンプシャフト181の突起181ａの円弧面がデコンプ用突起59edに向いた状態を示している。
【０１０４】
この状態で、デコンプピン185は、突起181ａの円弧面に受け止められて、小径部185ｂの先端がカムシャフト190の外周面から若干突出している。
したがって、デコンプピン155の小径部185ｂの先端はデコンプ用突起59edに接して排気側ロッカアーム59ｅを揺動し、圧縮行程で排気バルブを僅かに開いてデコンプを作動させる。
【０１０５】
機関回転数が上昇すると、カムシャフト190の回転でデコンプウエイト152が揺動し、デコンプシャフト181がその突起181ａとともにカムシャフト190に対して相対的に回動する。
【０１０６】
そして始動回転数より高くなると、突起181ａは図１１（２）に示すように欠損部181ｂがデコンプ用突起59edに向き、コイルスプリング186の付勢力によりデコンプピン155が摺動して突起181ａの欠損部181ｂの面で受け止められ、デコンプピン185の小径部185ｂの先端は貫通孔190ｂ内に没して排気側ロッカアーム59ｅのデコンプ用突起59edに接することなく、カムシャフト190のカム部のベース円が排気側ロッカアーム59ｅのローラ59erに接してデコンプは解除され、内燃機関は通常の運転状態となる。
【０１０７】
内燃機関の運転を停止する場合は、デコンプウエイト152が逆方向（回転中心方向）に揺動してデコンプシャフト181が逆回転し突起181ａが円弧面をデコンプ用突起59ed側に向けてデコンプピン185を移動し、所定機関回転数を下回ると、デコンプピン185の小径部185ｂの先端をカムシャフト190の外周面から突出させて排気側ロッカアーム59ｅを作動してデコンプ作動状態となる。
【０１０８】
次に、デコンプウエイトを用いず駆動手段により作動するデコンプ装置200について図１４ないし図１９に基づき説明する。
動弁機構は、カムシャフト210以外は前記図１ないし図８に示した実施の形態と略同じであり、同じ部材は同じ符号を用いる。
【０１０９】
カムシャフト210の軸心に設けられた嵌挿孔210ａにスライドシャフト201が軸心を同一にして軸方向に摺動自在に右端面から嵌挿されている。
スライドシャフト201が嵌挿される開口に対向するシリンダヘッドカバー34の側壁には電磁ソレノイド205がねじにより取り付けられており、電磁ソレノイド205から防護スリーブ207がシリンダヘッドカバー34の側壁を貫通して突出している。
【０１１０】
そして、電磁ソレノイド205の伸縮ロッド206が防護スリーブ207内を軸受208に摺動自在に支持されて突出して同心のスライドシャフト201に相対回転自在に連結されている。
電磁ソレノイド205が励磁されると、伸縮ロッド206が伸長し、スライドシャフト201を嵌挿孔210ａの奥側（図１４において左側）に移動し、励磁が解除されると、伸縮ロッド206が縮小し、スライドシャフト201を開口側（図１４において右側）に移動する。
【０１１１】
一方、カムシャフト210の排気側カム部210ｅに隣接するデコンプ用突起59edの軸方向位置において、嵌挿孔210ａから排気側カム部210ｅのカム山と反対側径方向に穿孔された孔にデコンプピン202が径方向に摺動自在に設けられている。
デコンプピン202の両端は丸みを帯び、中心側端部近傍にＣ字状ばね203が貫通し嵌挿孔210内にあって係合され(図１５参照)、遠心側端部はカムシャフト210の外周面から出没自在である。
【０１１２】
スライドシャフト201の先端は、図１５に図示するように、本体大径部より径を小さくした中径部201ａおよび中径部201ａからテーパ部201ｂを介して最先端の小径部201ｃが形成されている。
そして、中径部201ａ，テーパ部201ｂ，小径部201ｃの周面に軸方向に指向し連続した溝条201ｇが刻設されるとともに、溝条201ｇの反対側には突条201ｈが形成されている。
【０１１３】
このスライドシャフト201の先端を、デコンプピン202に係合されたＣ字状ばね203に挿入し、溝条201ｇにデコンプピン202の中心側端部が接するように合わせる。
Ｃ字状ばね203の開いた部分に突条201ｈが入り込み、Ｃ字状ばね203が回動してデコンプピン202から抜けるのを防止している。
【０１１４】
図１６および図１７に示す状態は、停止時または極低回転時のものであり、電磁ソレノイド205が励磁されスライドシャフト201が嵌挿孔210ａの奥側に移動した状態を示している。
【０１１５】
スライドシャフト201の奥側への移動でデコンプピン202はテーパ部201ｂの溝条201ｇを上って中径部201ａの溝条201ｇに至り、デコンプピン202の遠心側端部はカムシャフト210の外周面から若干突出している。
なお、Ｃ字状ばね203はテーパ部201ｂのくい込みにより拡径している。
したがって、デコンプピン202の先端はデコンプ用突起59edに接して排気側ロッカアーム59ｅを揺動し、圧縮行程で排気バルブを僅かに開いてデコンプを作動させる。
【０１１６】
機関回転数が所定回転数まで上昇すると、電磁ソレノイド205の励磁が解除され、スライドシャフト201が嵌挿孔210ａの開口側に時間遅れなく瞬時に移動し、Ｃ字状ばね203がテーパ部201ｂを下がり縮径することで、図１８および図１９に示すように、デコンプピン202は、テーパ部201ｂの溝条201ｇを下り、小径部201ｃの溝条201ｇに至り、遠心側端部はカムシャフト210の外周面から没して、排気側ロッカアーム59ｅのデコンプ用突起59edに接することなく、カムシャフト210のカム部210ｅのベース円が排気側ロッカアーム59ｅのローラ59erに接してデコンプは解除され、内燃機関は通常の運転状態となる。
【０１１７】
このように電磁ソレノイド205の駆動制御により、デコンプの解除（および作動）を適切なタイミングに確実に実行して円滑な始動を図ることができる。
【図面の簡単な説明】
【０１１８】
【図１】本発明の一実施の形態に係るスクータ型自動２輪車の全体側面図である。
【図２】該スクータ型自動二輪車の内燃機関の図１におけるII−II線に沿って截断した断面図である。
【図３】図２におけるIII −III 線に沿って截断した断面図である。
【図４】図３におけるIV−IV線に沿って截断した断面図である。
【図５】デコンプ装置が組み込まれた動弁機構を示す断面図である。
【図６】デコンプ作動状態の一部省略したデコンプ装置の側面図である。
【図７】デコンプの解除または作動する途中の状態の一部省略したデコンプ装置の側面図である。
【図８】デコンプ解除状態の一部省略したデコンプ装置の側面図である。
【図９】別のデコンプ装置が組み込まれた動弁機構を示す断面図である。
【図１０】同デコンプ装置の一部省略した側面図である。
【図１１】図９におけるＸI−ＸI線に沿って截断したデコンプ作動状態と解除状態の断面図である。
【図１２】また、別のデコンプ装置が組み込まれた動弁機構を示す断面図である。
【図１３】図１２におけるＸIII−ＸIII線に沿って截断したデコンプ作動状態と解除状態の断面図である。
【図１４】またさらに、別のデコンプ装置が組み込まれた動弁機構を示す断面図である。
【図１５】スライドシャフト，デコンプピンおよびＣ字状ばねの分解斜視図である。
【図１６】デコンプ作動状態のカムシャフトの要部縦断面図である。
【図１７】図１６におけるＸＶＩＩ−ＸＶＩＩ線に沿って截断した断面図である。
【図１８】デコンプ解除状態のカムシャフトの要部縦断面図である。
【図１９】図１７におけるＸＶＩＩ−ＸＶＩＩ線に沿って截断した断面図である。
【符号の説明】
【０１１９】
１…スクータ型自動二輪車、27…キック軸、28…キックアーム、29…キックペダル、
30…内燃機関、31…ユニットスイングケース、33…シリンダヘッド、34…シリンダヘッドカバー、35…ベルト式無段変速機、40…クランクシャフト、
50…動弁機構、51…カムチェーン、53…カムシャフト、54…被動スプロケット、55…駆動スプロケット、56…吸気バルブ、57…排気バルブ、58ｉ，58ｅ…ロッカシャフト、59ｉ，59ｅ…ロッカアーム、110…スタータモータ、
130…デコンプ装置、133…デコンプシャフト、134…メインウエイト、135…サブシャフト、136…サブウエイト、137…連結棒、138…トーションスプリング、
150…デコンプ装置、151…デコンプシャフト、153…円弧孔、154…長孔、155…デコンプピン、160…カムシャフト、161…被動スプロケット、162…支軸、163…ストッパピン、164…トーションスプリング、
180…デコンプ装置、181…デコンプシャフト、185…デコンプピン、186…コイルスプリング、190…カムシャフト、
200…デコンプ装置、201…スライドシャフト、202…デコンプピン、203…Ｃ字状ばね、205…電磁ソレノイド、210…カムシャフト。
【図１】
0004498256.tif 000002
【図２】
0004498256.tif 000003
【図３】
0004498256.tif 000004
【図４】
0004498256.tif 000005
【図５】
0004498256.tif 000006
【図６】
0004498256.tif 000007
【図７】
0004498256.tif 000008
【図８】
0004498256.tif 000009
【図９】
0004498256.tif 000010
【図１０】
0004498256.tif 000011
【図１１】
0004498256.tif 000012
【図１２】
0004498256.tif 000013
【図１３】
0004498256.tif 000014
【図１４】
0004498256.tif 000015
【図１５】
0004498256.tif 000016
【図１６】
0004498256.tif 000017
【図１７】
0004498256.tif 000018
【図１８】
0004498256.tif 000019
【図１９】
0004498256.tif 000020